(57)【要約】【課題】機械室側から商品収納庫側へ立ち上がる冷媒配管の位置が異なる場合でも、既設の冷却機器を他の冷却機器に交換することのできる自動販売機を提供する。【解決手段】商品収納庫３０の底面を形成する底面部材３４に、冷媒配管挿通用の切り欠き部３８に対応する部分を除去することにより切り欠き部３８を形成可能な分離可能部３６ａ，３７ａを設け、既存の冷却ユニットを新たな冷却ユニットに交換する際、底面部材３４から分離可能部３６ａ，３７ａを除去することにより、新たな冷却ユニットの一部の冷媒配管を挿通する切り欠き部３８を形成するようにしたので、機械室１１側から商品収納庫３０側へ立ち上がる冷媒配管の位置が既設の冷却ユニットの冷媒配管と異なる場合でも、既設の冷却機器を新たな冷却ユニットに交換することができる。【選択図】図９
2007219599.tif 000002
【特許請求の範囲】
【請求項１】
前面を開口した自動販売機本体と、自動販売機本体内に設けられた商品収納庫と、商品収納庫の底面を形成する底面部材と、底面部材の下方に設けられた機械室と、商品収納庫内を冷却する冷却機器とを備え、一部の冷却機器を商品収納庫内に配置するとともに、他の冷却機器を機械室内に配置し、底面部材の前端には商品収納庫側の冷却機器と機械室側の冷却機器との間の冷媒配管を挿通するための切り欠き部を設けた自動販売機において、
前記底面部材に、切り欠き部に対応する部分を除去することにより切り欠き部を形成可能な分離可能部を設けた
ことを特徴とする自動販売機。
【請求項２】
商品収納庫内に互いに仕切板によって自動販売機本体の幅方向に仕切られた複数の収納室を設けるとともに、
互いに隣り合う少なくとも二つの収納室間の仕切板に、仕切板の一部を除去することにより冷媒配管挿通用の切り欠き部を形成可能な分離可能部を設けた
ことを特徴とする請求項１記載の自動販売機。
【請求項３】
前記底面部材及び仕切板の少なくとも一方に切り欠き部に沿ったミシン目を設け、分離可能部をミシン目から分離可能に形成した
ことを特徴とする請求項１または２記載の自動販売機。
【請求項４】
前記底面部材及び仕切板の少なくとも一方に切り欠き部に沿った切断部を設け、分離可能部を切断部に粘着テープによって分離可能に貼り付けた
ことを特徴とする請求項１または２記載の自動販売機。
【請求項５】
前記底面部材及び仕切板の少なくとも一方に切り欠き部に沿った切断部を設け、分離可能部を切断部に設けた凹部及び凸部によって分離可能に嵌合した
ことを特徴とする請求項１または２記載の自動販売機。
【請求項６】
前記底面部材及び仕切板の少なくとも一方に切り欠き部に沿った溝を設け、分離可能部を溝から破断することによって分離可能に形成した
ことを特徴とする請求項１または２記載の自動販売機。
【発明の詳細な説明】
【技術分野】
【０００１】
本発明は、例えば缶、ビンまたはペットボトル入り飲料等の商品を販売する自動販売機に関するものである。
【背景技術】
【０００２】
従来、この種の自動販売機としては、前面を開口した自動販売機本体と、自動販売機本体の前面を開閉する外扉と、自動販売機本体内に設けられた断熱性の商品収納庫と、商品収納庫の底面を形成する底面部材と、底面部材の下方に設けられた機械室と、商品収納庫内を冷却する冷却機器とを備え、一部の冷却機器を商品収納庫内に配置するとともに、他の冷却機器を機械室内に配置し、底面部材の前端には商品収納庫側の冷却機器と機械室側の冷却機器との間の冷媒配管を挿通するための切り欠き部を設けたものが知られている（例えば、特許文献１参照。）。
【特許文献１】特開２００４−２７２５８７号公報
【発明の開示】
【発明が解決しようとする課題】
【０００３】
ところで、従来の自動販売機では、冷却機器の冷媒としてフロン冷媒が用いられているが、フロン冷媒の使用規制により、自然系冷媒である二酸化炭素冷媒の使用が望まれている。しかしながら、フロン冷媒を用いた冷却機器と二酸化炭素冷媒を用いた冷却機器では機器の構成や仕様が異なるため、フロン冷媒用の冷却機器を二酸化炭素冷媒用に使用することができない。そこで、フロン冷媒用の冷却機器を二酸化炭素冷媒用の冷却機器に交換すれば、自動販売機自体を交換しなくとも冷却機器以外の構成部分を再利用することができる。
【０００４】
しかしながら、フロン冷媒用の冷却機器と二酸化炭素冷媒用の冷却機器では、前述したように機器の構成や仕様が異なるため、機械室側から商品収納庫側へ立ち上がる冷媒配管の位置も異なる場合がある。このため、底面部材の前端に設けられた冷媒配管挿通用の切り欠き部の位置が二酸化炭素冷媒用の冷却機器における冷媒配管の位置と一致せず、結局、自動販売機自体を交換しなければ二酸化炭素冷媒を使用した自動販売機への移行を実現することができなかった。
【０００５】
本発明は前記問題点に鑑みてなされたものであり、その目的とするところは、機械室側から商品収納庫側へ立ち上がる冷媒配管の位置が異なる場合でも、既設の冷却機器を他の冷却機器に交換することのできる自動販売機を提供することにある。
【課題を解決するための手段】
【０００６】
本発明は前記目的を達成するために、前面を開口した自動販売機本体と、自動販売機本体内に設けられた商品収納庫と、商品収納庫の底面を形成する底面部材と、底面部材の下方に設けられた機械室と、商品収納庫内を冷却する冷却機器とを備え、一部の冷却機器を商品収納庫内に配置するとともに、他の冷却機器を機械室内に配置し、底面部材の前端には商品収納庫側の冷却機器と機械室側の冷却機器との間の冷媒配管を挿通するための切り欠き部を設けた自動販売機において、前記底面部材に、切り欠き部に対応する部分を除去することにより切り欠き部を形成可能な分離可能部を設けている。
【０００７】
これにより、既存の冷却ユニットを新たな冷却ユニットに交換する際、底面部材から分離可能部を除去することにより、新たな冷却ユニットの冷媒配管を挿通する切り欠き部が形成されることから、機械室側から商品収納庫側へ立ち上がる冷媒配管の位置が既設の冷却ユニットの冷媒配管と異なる場合でも、既設の冷却機器を新たな冷却ユニットに交換することが可能となる。
【発明の効果】
【０００８】
本発明の自動販売機によれば、既存の冷却ユニットを新たな冷却ユニットに交換する際、機械室側から商品収納庫側へ立ち上がる冷媒配管の位置が既設の冷却ユニットの冷媒配管と異なる場合でも、既設の冷却機器を新たな冷却ユニットに交換することができるので、例えばフロン冷媒用の冷却機器を二酸化炭素冷媒用の冷却機器に交換する場合、既設のフロン冷媒用の冷却機器以外の構成部分を再利用することができ、二酸化炭素冷媒を使用した自動販売機への移行を容易且つ低コストに実現することができる。
【発明を実施するための最良の形態】
【０００９】
図１乃至図１０は本発明の一実施形態を示すもので、図１は自動販売機の全体斜視図、図２は自動販売機の側面断面図、図３は既設の冷却ユニットを備えた自動販売機内の要部正面図、図４は新たな冷却ユニットを備えた自動販売機内の要部正面図、図５は既設の冷却ユニットを備えた自動販売機内の要部分解斜視図、図６は新たな冷却ユニットを備えた自動販売機内の要部分解斜視図、図７はスペーサの要部平面図、図８は既設の冷却ユニットを備えた自動販売機内の要部斜視図、図９は冷却ユニットの交換工程を示す自動販売機内の要部分解斜視図、図１０は新たな冷却ユニットを備えた自動販売機内の要部斜視図である。
【００１０】
この自動販売機は、前面を開口した自動販売機本体１０と、自動販売機本体１０の前面開口部を開閉する外扉２０と、自動販売機本体１０内に設けられた断熱性の商品収納庫３０と、商品収納庫３０を冷却する冷却ユニット４０と、ドレン水を受容するドレンパン５０とを備えている。
【００１１】
自動販売機本体１０は前面を開口した断熱箱１１を有し、断熱箱１１内には商品収納庫３０が設けられている。自動販売機本体１０の下部には機械室１１が設けられ、機械室１１は商品収納庫３０の下方に配置されている。
【００１２】
外扉２０は幅方向一端側を自動販売機本体１０に回動自在に支持され、その前面には商品サンプル２１、商品選択スイッチ２２、硬貨投入口２３、紙幣投入口２４、硬貨返却口２５及び商品取出口２６が設けられている。
【００１３】
商品収納庫３０は前面を開閉する断熱性の内扉３１を有し、商品収納庫３０の内部には複数の商品収納コラム３２が収容されている。商品収納コラム３２は、例えばサーペンタイン式コラム、コンベア式コラム、スパイラル式コラム等、各種のコラムが用いられる。商品収納庫３０は複数の断熱性の仕切板３３によって幅方向に仕切られており、各仕切板３３によって商品収納庫３０内が図中左側から順に第１の収納室３０ａ、第２の収納室３０ｂ及び第３の収納室３０ｃに区画されている。
【００１４】
また、商品収納庫３０と機械室１１との間には、商品収納庫３０の底面を形成する底面部材３４が設けられている。底面部材３４は、商品収納庫３０の底面側に配置された金属製の底板３５と、機械室１１の上面側に配置された断熱板３６と、底板３５と断熱板３６との間に配置された合成樹脂製の板状のスペーサ３７とからなり、これら底板３５、断熱板３６及びスペーサ３７は互いに重ね合わされている。底面部材３４はその前端側に冷媒配管挿通用の複数の切り欠き部３８を有し、切り欠き部３８は第１の収納室３０ａ内の二箇所と、第２及び第３の収納室３０ｂ，３０ｃ内の一箇所ずつにそれぞれ設けられている。この場合、第１の収納室３０ａの一方の切り欠き部３８（図中右側）と第２の収納室３０ｂの切り欠き部３８は互いに仕切板３３を間に近接して配置されている。また、底面部材３４の断熱板３６及びスペーサ３７には、切り欠き部３８に対応する部分を除去することにより切り欠き部３８を形成可能な分離可能部３６ａ，３７ａが設けられ、各分離可能部３６ａ，３７ａは断熱板３６及びスペーサ３７に設けられたミシン目３６ｂ，３７ｂから分離可能に形成されている。更に、第１の収納室３０ａと第２の収納室３０ｂとの間の仕切板３３には、仕切板３３の一部（前端下部）を除去することにより冷媒配管挿通用の切り欠き部３９を形成可能な分離可能部３３ａが設けられ、分離可能部３３ａは仕切板３３に設けられたミシン目３３ｂから分離可能に形成されている。尚、仕切板３３及び底面部材３４の前端面には、それぞれ図示しないパッキンが取付けられる。
【００１５】
冷却ユニット４０は、商品収納庫３０内に配置される一部の冷却機器と、機械室１１内に配置される他の冷却機器とを有し、二酸化炭素冷媒を用いた冷凍装置によって構成されている。商品収納庫３０側に配置される冷却機器は各収納室３０ａ，３０ｂ，３０ｃ内にそれぞれ配置される複数の蒸発器４１からなり、各蒸発器４１の前面側には、蒸発器用ファン４１ａと、図示しない庫内加熱用のヒータ（一部の蒸発器４１のみ）が取付けられる。機械室１１側に配置される冷却機器は、圧縮機４２、ガスクーラ４３、ガスクーラ用ファンユニット４４、内部熱交換器４５及びその他の機器（膨張弁、アキュムレータ等）からなり、これらの冷却機器は底板４６上に取付けられている。圧縮機４２及びガスクーラ４３は冷媒配管４７を介して各蒸発器４１に接続され、圧縮機４２によって各蒸発器４１及びガスクーラ４３に冷媒が循環するようになっている。
【００１６】
ドレンパン５０は上面を開口するとともに、前後方向に長く形成され、その内部にはドレン水を吸収して蒸発させる蒸発部材５１が設けられている。ドレンパン５０は機械室１１内に配置され、各蒸発器４１で発生するドレン水を図示しないドレン配管を介して受容するようになっている。蒸発部材５１は板状の吸水性部材（例えば、ポリエステル繊維）を波形に屈曲してなり、ドレンパン５０内に溜まったドレン水を吸収するとともに、機械室１１内を流通する空気によってドレン水を蒸発させるようになっている。
【００１７】
本実施形態の自動販売機は、図５に示すように自動販売機からフロン冷媒用の既設の冷却ユニット６０を取出し、図６に示すように二酸化炭素冷媒用の新たな冷却ユニット４０に交換することにより構成される。
【００１８】
フロン冷媒用の既設の冷却ユニット６０は、複数の蒸発器６１、圧縮機６２、凝縮器６３（二酸化炭素冷媒用の冷却ユニット４０のガスクーラ４３に相当）、凝縮器用ファンユニット６４及びその他の機器（膨張弁、アキュムレータ等）からなり、これらの冷却機器は底板６５上に取付けられている。また、圧縮機６２及び凝縮器６３は冷媒配管６６を介して各蒸発器６１に接続され、圧縮機６２によって各蒸発器６１及び凝縮器６３に冷媒が循環するようになっている。この場合、各蒸発器６１に接続される冷媒配管６６は機械室１１側から商品収納庫３０側に立ち上がるとともに、図３に示すように第１の収納室３０ａの他方の切り欠き部３８（図中左側）と、第２の収納室３０ｂの切り欠き部３８と、第３の収納室３０ｃの切り欠き部３８をそれぞれ挿通して商品収納庫３０内の後方に向かって延びている。
【００１９】
ここで、前記既設の冷却ユニット６０を新たな冷却ユニット４０に交換する場合は、既設の冷却ユニット６０を自動販売機本体１０の外部に取出し、図８に示すように冷却ユニット６０の冷媒配管６６を切り欠き部３８から抜き取る。次に、図９に示すように底面部材３４の分離可能部３６ａ，３７ａをミシン目３６ｂ，３７ｂから分離して除去することより切り欠き部３８を形成するとともに、第１の収納室３０ａと第２の収納室３０ｂとの間の仕切板３３の分離可能部３３ａをミシン目３３ｂから分離して除去することより切り欠き部３９を形成する。この後、新たな冷却ユニット４０を自動販売機本体１０内に設置するとともに、図１０に示すように新たな冷却ユニット４０の冷媒配管４７を第１の収納室３０ａの一方の切り欠き部３８、第２の収納室３０ｂの切り欠き部３８及び第３の収納室３０ｃの切り欠き部３８にそれぞれ挿入する。ここで、第２の収納室３０ｂ内の蒸発器４１の冷媒配管４７は、第１の収納室３０ａの一方の切り欠き部３８内を挿通するように立ち上がるとともに、第２の収納室３０ｂ側に屈曲して仕切板３３の切り欠き部３９を商品収納庫３０の幅方向に挿通し、第２の収納室３０ｂの後方に向かって屈曲している。この場合、第２の収納室３０ｂの切り欠き部３８は使用しなくなるため、底面部材３４から分離した分離可能部３６ａ，３７ａを接着剤等で第２の収納室３０ｂの切り欠き部３８に固着すれば、第２の収納室３０ｂの切り欠き部３８を閉塞することができる。尚、分離可能部３６ａ，３７ａを用いずに、新たな断熱材等の他の部材によって切り欠き部３８を閉塞することも可能である。
【００２０】
このように、本実施形態の自動販売機によれば、商品収納庫３０の底面を形成する底面部材３４に、冷媒配管挿通用の切り欠き部３８に対応する部分を除去することにより切り欠き部３８を形成可能な分離可能部３６ａ，３７ａを設け、既存の冷却ユニット６０を新たな冷却ユニット４０に交換する際、底面部材３４から分離可能部３６ａ，３７ａを除去することにより、新たな冷却ユニット４０の一部の冷媒配管４７を挿通する切り欠き部３８を形成するようにしたので、機械室１１側から商品収納庫３０側へ立ち上がる冷媒配管４７の位置が既設の冷却ユニット６０の冷媒配管６６と異なる場合でも、既設の冷却機器６０を新たな冷却ユニット４０に交換することができる。これにより、フロン冷媒用の既設の冷却機器６０以外の構成部分を再利用することができ、二酸化炭素冷媒を使用した自動販売機への移行を容易且つ低コストに実現することができる。
【００２１】
また、互いに隣り合う第１及び第２の収納室３０ａ，３０ｂ間の仕切板３３に、仕切板３３の一部を除去することにより冷媒配管挿通用の切り欠き部３９を形成可能な分離可能部３３ａを設け、既設の冷却ユニット６０を新たな冷却ユニット４０に交換する際、仕切板３３から分離可能部３３ａを除去することにより、新たな冷却ユニット４０の一部の冷媒配管４７を商品収納庫３０の幅方向に挿通する切り欠き部３９を形成するようにしたので、第２の収納室３０ｂ用の冷媒配管４７が第１の収納室３０ａ内に立ち上がる場合でも、第２の収納室３０ｂ側に屈曲する冷媒配管４７を仕切板３３の切り欠き部３９に挿通させることができ、新たな冷却ユニット４０の仕様に幅広く対応することができる。
【００２２】
更に、底面部材３４及び仕切板３３の分離可能部３６ａ，３７ａ，３３ａをミシン目３６ｂ，３７ｂ，３３ｂから分離可能に形成したので、切断用の工具を別途用いることなく分離可能部３６ａ，３７ａ，３３ａを容易に分離させることができ、作業性の向上を図ることができる。
【００２３】
尚、前記実施形態では、新たな冷却ユニット４０の一部の冷媒配管４７が第１の収納室３０ａの一方の切り欠き部３８及び仕切板３３の切り欠き部３９を挿通するようにしたものを示したが、新たな冷却ユニットの冷媒配管が既設の冷却ユニットの冷媒配管と同一の収納室の異なる位置に立ち上がる場合には、仕切板３３の切り欠き部３９を形成する必要はない。
【００２４】
また、新たな冷却ユニット４０としては二酸化炭素冷媒用のものに限られず、例えば他の種類の代替フロン冷媒を用いた冷却機器に交換する場合や、同一種類の冷媒を用いていても冷却能力が異なる冷却機器に交換する場合など、機器の構成や仕様の相違によって冷媒配管の立ち上がり位置が異なる場合であれば、本発明を適用することができる。
【００２５】
更に、前記実施形態では、分離可能部３６ａ，３７ａ，３３ａをミシン目３６ｂ，３７ｂ，３３ｂから分離させるようにしたものを示したが、図１１乃至図１６の変形例に示すように他の構造により分離させるようにしてもよい。
【００２６】
即ち、図１１及び図１２に示す第１の変形例は、底面部材３４及び仕切板３３に分離可能部３６ａ，３７ａ，３３ａに沿った切断部３６ｃ，３７ｃ，３３ｃを設けるとともに、分離可能部３６ａ，３７ａ，３３ａと切断部３６ｃ，３７ｃ，３３ｃとを両面粘着テープ３６ｄ，３７ｄ，３３ｄによって貼り付けておき、両面粘着テープ３６ｄ，３７ｄ，３３ｄから剥離することにより、分離可能部３６ａ，３７ａ，３３ａを分離させるようにしたものである。
【００２７】
また、図１３及び図１４に示す第２の変形例は、前記切断部３６ｃ，３７ｃ，３３ｃの端面に互いに嵌合する凹部３６ｅ，３７ｅ，３３ｅと凸部３６ｆ，３７ｆ，３３ｆを設け、凹部３６ｅ，３７ｅ，３３ｅと凸部３６ｆ，３７ｆ，３３ｆとの嵌合により、分離可能部３６ａ，３７ａ，３３ａを固定するようにしたものである。
【００２８】
更に、図１５及び図１６に示す第３の変形例は、底面部材３４及び仕切板３３に分離可能部３６ａ，３７ａ，３３ａに沿った溝３６ｇ，３７ｇ，３３ｇを設け、分離可能部３６ａ，３７ａ，３３ａを溝３６ｇ，３７ｇ，３３ｇから破断することにより、分離可能部３６ａ，３７ａ，３３ａを分離させるようにしたものである。
【図面の簡単な説明】
【００２９】
【図１】本発明の一実施形態を示す自動販売機の全体斜視図
【図２】自動販売機の側面断面図
【図３】既設の冷却ユニットを備えた自動販売機内の要部正面図
【図４】新たな冷却ユニットを備えた自動販売機内の要部正面図
【図５】既設の冷却ユニットを備えた自動販売機内の要部分解斜視図
【図６】新たな冷却ユニットを備えた自動販売機内の要部分解斜視図
【図７】スペーサの要部平面図
【図８】既設の冷却ユニットを備えた自動販売機内の要部斜視図
【図９】冷却ユニットの交換工程を示す自動販売機内の要部分解斜視図
【図１０】新たな冷却ユニットを備えた自動販売機内の要部斜視図
【図１１】第１の変形例を示す自動販売機内の要部分解斜視図
【図１２】第１の変形例を示す自動販売機内の要部分解斜視図
【図１３】第２の変形例を示す自動販売機内の要部分解斜視図
【図１４】第２の変形例を示す自動販売機内の要部分解斜視図
【図１５】第３の変形例を示す自動販売機内の要部分解斜視図
【図１６】第３の変形例を示す自動販売機内の要部分解斜視図
【符号の説明】
【００３０】
１０…自動販売機本体、１１…機械室、３０…商品収納庫、３３…仕切板、３３ａ…分離可能部、３３ｂ…ミシン目、３３ｃ…切断部、３６ｄ，３３ｄ…両面粘着テープ、３３ｅ…凹部、３３ｆ…凸部、３３ｇ…溝、３４…底面部材、３６ａ，３７ａ…分離可能部、３６ｂ，３７ｂ…ミシン目、３６ｃ，３７ｃ…切断部、３６ｄ，３７ｄ…両面粘着テープ、３６ｅ，３７ｅ…凹部、３６ｆ，３７ｆ…凸部、３６ｇ，３７ｇ…溝、３８，３９…切り欠き部、４０…冷却ユニット、４７…冷媒配管、６０…冷却ユニット、６６…冷媒配管。
【図１】
2007219599.tif 000003
【図２】
2007219599.tif 000004
【図３】
2007219599.tif 000005
【図４】
2007219599.tif 000006
【図５】
2007219599.tif 000007
【図６】
2007219599.tif 000008
【図７】
2007219599.tif 000009
【図８】
2007219599.tif 000010
【図９】
2007219599.tif 000011
【図１０】
2007219599.tif 000012
【図１１】
2007219599.tif 000013
【図１２】
2007219599.tif 000014
【図１３】
2007219599.tif 000015
【図１４】
2007219599.tif 000016
【図１５】
2007219599.tif 000017
【図１６】
2007219599.tif 000018